(57)【要約】【課題】照射角度が広くなって部屋全体を明るく照明することが可能となり、また利用者が直視した場合にも目にまぶしいという問題のないＬＥＤ照明具を提供することを目的とする。【解決手段】透光性素材から成る長尺カバーと、前記長尺カバーの両端に装着した端部パーツと、前記長尺カバーの開口端辺から外側に突き出るように配設された放熱用金属からなる中空フレームと、該中空フレームに搭載した細長い回路基板とを備えており、前記基板の片面を光源配置面としてこれにＬＥＤ発光素子からなる光源が搭載されている、既存の蛍光灯器具本体に装着できるＬＥＤ照明具であって、前記長尺カバーは、前記開口端辺が所定の幅で内向きに屈曲させてあり、前記中空フレーの長手方向に沿って長く延びるように配置したガイド溝に前記屈曲させた長尺カバーの開口端辺をはめ込むようにしたことを特徴とするＬＥＤ照明具。【選択図】図１
2013191470.tif 000002
【特許請求の範囲】
【請求項１】
透光性素材から成る両端が開口した逆Ｕ字状断面の長尺カバーと、前記長尺カバーの両端に装着した端部パーツと、前記長尺カバーの開口端辺に長手方向に沿って取り付けられ、長尺カバーの開口端辺から外側に突き出るように配設された放熱用金属からなる中空フレームと、該中空フレームに搭載して前記長尺カバーの内部に配置した細長い回路基板とを備えており、前記基板の片面を光源配置面としてこれにＬＥＤ発光素子からなる光源が搭載されている、既存の蛍光灯器具本体に装着できるＬＥＤ照明具であって、
前記長尺カバーは、前記開口端辺が所定の幅で内向きに屈曲させてあり、前記中空フレーの長手方向に沿って長く延びるように配置したガイド溝に前記屈曲させた長尺カバーの開口端辺をはめ込むようにしたことを特徴とするＬＥＤ照明具。
【請求項２】
前記長尺カバーは、その開口端辺が前記回路基板の板面とほぼ一致する高さになるよう前記中空フレームに取り付けられるようにしたことを特徴とする請求項１記載のＬＥＤ照明具。
【請求項３】
前記長尺カバーの両端に装着した端部パーツは、その外端面からそれぞれ既存の蛍光灯器具本体に嵌め込まれる端子付き口金からなることを特徴とする請求項１または２記載のＬＥＤ照明具。
【請求項４】
前記回路基板は、各ＬＥＤ発光素子を直列に接続した直列回路に整流回路を組み込み、さらに前記整流回路にリセッタブルヒューズを接続することにより、既存の蛍光灯器具本体にどの向きからでも装着できるようにしたことを特徴とする請求項１ないし３のいずれかに記載のＬＥＤ照明具。
【発明の詳細な説明】
【技術分野】
【０００１】
この発明は、ＬＥＤ（発光ダイオード）のように発光素子を光源に使用した灯具のうち、従来の直管式蛍光灯の代替品として好適な、直管タイプのＬＥＤ照明具に関するものである。
【背景技術】
【０００２】
ＬＥＤ発光素子は省電力・高輝度・長寿命といった特色を持っており、そこで次世代照明装置と目されている。このＬＥＤ方式の照明具は既に商品化もなされているが、商品化をより強く推進するための一つの方策として、既存の蛍光灯にそのまま置き換えて使用できるようにすることが考えられている。
【０００３】
前記ＬＥＤ照明具は、通電により発光する発光素子（チップ）をガラスや樹脂等の透光材で封止することでランプ化しており、直管式蛍光灯代替方式の照明具に適用する場合は、細長い基板（回路基板）にＬＥＤ発光素子を多数搭載して、基板を筒体の内部に配置せねばならず、また、筒体の左右両端には、２本ずつのピンが突出した端部材を取り付ける必要がある。そして、基板は細長いので安定良く保持する必要があり、また、ピンを蛍光灯器具本体に挿入した状態で光が一定の方向に照射されるように基板とピンとの関係を保持する必要がある。
【０００４】
そのような例として、例えば特開２０１０−１２９３８２号公報（特許文献１参照）には、透光性素材から成る両端開口の細長い筒体と、前記筒体の両端に装着した端部材と、前記筒体の内部に配置した細長い基板とを備えており、前記基板の片面を光源配置面としてこれに発光素子方式光源が搭載されている、という灯具であって、
前記筒体の内部には、前記基板を保持するホルダー部材が筒体の長手方向に沿って長く延びるように配置されており、前記ホルダー部材と左右端材とを筒体の軸心回りに相対回転しないように嵌め合わせることにより、前記端部材と基板との相対姿勢を一定に保持している灯具が提案されている。
【０００５】
また特開２０１０−３６８３号公報（特許文献２参照）には、一体で長く延びるか又は断続して長く延びる基板と、基板の片面又は両面に飛び飛びで配置した多数個のＬＥＤと、基板を少なくともＬＥＤの側から覆う筒形又は溝形の細長い合成樹脂製のカバー部材とを備えている。カバー部材は透光性を有しており、且つ、カバー部材の内面には嵌合溝が全長にわたって形成されている。回路基板は、反射板２６と補助カバー体とを介して嵌合溝で撓み変形不能に保持されている発光素子方式照明灯が提案されている。
【０００６】
特開２００８−２８７９９４号公報（特許文献３参照）には、複数のＬＥＤを備えてなる照明装置において、複数のＬＥＤを装着して支持すると共に、複数のＬＥＤを点灯する電源回路を装着して支持する支持体を備え、複数のＬＥＤ及び／又は電源回路を支持体に収容してなることを特徴とする照明装置が提案されている。
【０００７】
特開２００６−１０００３６号公報（特許文献４参照）には、棒状本体の両端部に端子対Ａおよび端子対Ｂを設け、前記端子対ＡにダイオードＯＲ回路を介してＬＥＤアレイの一方端を接続し、端子対ＢにＬＥＤアレイの他方端を接続し、そしてこのダイオードＯＲ回路は、端子Ａ１〜Ａ２間の逆流防止機能と、端子対Ａからの交流入力を整流する機能と、ＬＥＤアレイに逆電圧が印加されることを防止する機能を持ち、端子対Ａおよび端子対Ｂは、既存の蛍光灯器具のソケットに対して、左右両端部のいずれの方向から装着しても嵌合することができるＬＥＤ照光装置が提案されている。
【先行技術文献】
【特許文献】
【０００８】
【特許文献１】特開２０１０−１２９３８２号公報
【特許文献２】特開２０１０−３６８３号公報
【特許文献３】特開２００８−２８７９９４号公報
【特許文献４】特開２００６−１０００３６号公報
【発明の開示】
【発明が解決しようとする課題】
【０００９】
前記従来の直管式の蛍光灯代替方式のＬＥＤ照明具においては、円筒状の透光カバーを備えた特許文献１においても、また基板の設置部分が平坦で透光カバー部分が円弧状等に形成された特許文献２，３においても、基本的にはＬＥＤ発光素子から出る照射光を基板面からせいぜい１８０°の角度範囲で照射するものであり、照射角度が狭いために部屋全体を明るく照明することが難しく、また利用者が直視した場合に目にまぶしいという問題があった。
【００１０】
さらに、ＬＥＤ発光素子が発生する熱による影響という面でも、ＬＥＤ発光素子と透光カバー部分との距離が近いために基板を搭載するフレームの放熱対策を確実に行う必要があり、剛性や強度を保つ意味からも、補強構造を採用するためにコスト等を押し上げるという問題があった。
【００１１】
この発明は、このような課題を解消するためのものであり、照射角度が広くなって部屋全体を明るく照明することが可能となり、また利用者が直視した場合にも目にまぶしいという問題のないＬＥＤ照明具を提供することができ、さらにＬＥＤ発光素子と透光カバー部分との距離を話すことができて、基板を搭載するフレームの放熱対策にも有効で、剛性や強度を保つ面でも効果的なＬＥＤ照明具を提供することを目的とする。
【課題を解決するための手段】
【００１２】
この発明は、透光性素材から成る両端が開口した逆Ｕ字状断面の長尺カバーと、前記長尺カバーの両端に装着した端部パーツと、前記長尺カバーの開口端辺に長手方向に沿って取り付けられ、長尺カバーの開口端辺から外側に突き出るように配設された放熱用金属からなる中空フレームと、該中空フレームに搭載して前記長尺カバーの内部に配置した細長い回路基板とを備えており、前記基板の片面を光源配置面としてこれにＬＥＤ発光素子からなる光源が搭載されている、既存の蛍光灯器具本体に装着できるＬＥＤ照明具を対象にしている。
【００１３】
そして請求項１のＬＥＤ照明具では、前記長尺カバーにおいて、前記開口端辺が所定の幅で内向きに屈曲させてあり、前記中空フレームの長手方向に沿って長く延びるように配置したガイド溝に前記屈曲させた長尺カバーの開口端辺を所定幅の透光部を残してはめ込むようにしたことを特徴としている。
【００１４】
請求項２のＬＥＤ照明具では、前記長尺カバーにおいて、その開口端辺が前記回路基板の板面とほぼ一致する高さになるよう前記中空フレームに取り付けられるようにしたことを特徴としている。
【００１５】
請求項３のＬＥＤ照明具では、前記長尺カバーの両端に装着した端部パーツが、その外端面からそれぞれ既存の蛍光灯器具本体に嵌め込まれる端子付き口金からなることを特徴としている。
【００１６】
請求項４のＬＥＤ照明具では、前記回路基板において、各ＬＥＤ発光素子を直列に接続した直列回路に整流回路を組み込み、さらに前記整流回路にリセッタブルヒューズを接続することにより、既存の蛍光灯器具本体にどの向きからでも装着できるようにしたことを特徴としている。
【発明の効果】
【００１７】
この発明の請求項１のＬＥＤ照明具では、照射角度が広くなって部屋全体を明るく照明することが可能となり、また利用者が直視した場合にも目にまぶしいという問題のないＬＥＤ照明具を提供することができ、さらにＬＥＤ発光素子と透光カバー部分との距離を話すことができて、基板を搭載するフレームの放熱対策にも有効で、剛性や強度を保つ面でも効果的なＬＥＤ照明具を提供することが可能となった。
また、前記屈曲させた長尺カバーの開口端辺を所定幅の透光部を残して該ガイド溝にはめ込んであるので、該透光部からＬＥＤ照明具の後方にも光源からの光が放射され、より均一で目にもまぶしくない照明とすることができるようになった。
【００１８】
請求項２のＬＥＤ照明具では、既存の製品に比して照射角度を飛躍的に大きい角度とすることができ、しかも透光性素材からなる長尺カバーとの間隔を広くとることができるようになるので、使用者が直視してもほとんどまぶしさを感じないＬＥＤ照明具とすることができるようになった。
【００１９】
請求項３のＬＥＤ照明具では、前記長尺カバーの両端に装着した端部パーツを、その外端面からそれぞれ既存の蛍光灯器具本体に嵌め込まれる端子付き口金からなるよう構成したので、既存の蛍光灯器具とほぼ同様の構造となり、極めて簡単に既存の蛍光灯器具本体に取り付けることができるようになった。
【００２０】
請求項４のＬＥＤ照明具では、前記回路基板において、各ＬＥＤ発光素子を直列に接続した直列回路に整流回路を組み込み、さらに前記整流回路にリセッタブルヒューズを接続することにより、既存の蛍光灯器具本体にどの向きからでも装着できるようになり、非常に故障の少ないＬＥＤ照明具を提供することができるようになった。
【図面の簡単な説明】
【００２１】
【図１】この発明のＬＥＤ照明具の実施の形態を説明する長尺カバーと中空フレームとの結合の状態を示す概略斜視図である。
【図２】その概略断面図である。
【図３】端部パーツを構成する端子付き口金の１例を示し、（ａ）はその正面図、（ｂ）はその側面図、（ｃ）はその斜視図である。
【図４】端部パーツを構成する端子付き口金の他の例を示し、（ａ）はその正面図、（ｂ）はその側面図、（ｃ）はその斜視図である。
【図５】この発明のＬＥＤ照明具の回路図を示すものであり、（ａ）は１ブロック直列回路（直流無極性）を、また（ｂ）は直流無極性回路の実装図をそれぞれ示すものである。
【発明を実施するための形態】
【００２２】
次に、この発明のＬＥＤ照明具の実施の形態を図面に基いて詳細に説明する。
図１および図２において、ＬＥＤ照明具１０は、透光性素材から成る両端が開口した逆Ｕ字状断面の長尺カバー１１と、前記長尺カバー１１の両端に装着した端部パーツ１２（図３および図４参照）と、前記長尺カバー１１の開口端辺１３に長手方向に沿って取り付けられていて、前記長尺カバー１１の開口端辺１３から外側に突き出るように配設された放熱用金属からなる中空フレーム１４と、該中空フレーム１４に搭載して前記長尺カバー１１の内部に配置した細長い回路基板１５とを備えており、前記回路基板１５の片面を光源配置面としてこれにＬＥＤ発光素子１６からなる光源が搭載されている。
前記回路基板１５は、中空フレーム１４よりも小さい幅寸法であり、その片面は光源配置面１５ａになっており、この光源配置面１５ａに多数のＬＥＤ発光素子１６を一列に並べて多数装着している。図面では省略しているが、前記回路基板１５の光源配置面１５ａまたはこれと反対側の裏面１５ｂには回路がプリントされている。前記回路基板２の両端には後述する通り、外側に突出した端子２３を取り付けている。
【００２３】
前述のように、この発明のＬＥＤ照明具１０は直管式蛍光灯と似た外観を呈しており、全長は蛍光灯の規格に合わせている。そして前記長尺カバー１１は、透明または半透明（例えば乳白色）のポリカーボネート等の透光性樹脂素材とすることが望ましい。
【００２４】
そして前記長尺カバー１１において、前記開口端辺１３は所定の幅で内向きにほぼ直角に屈曲させてあり、他方、前記中空フレーム１４の両側端部にはガイド溝２１が配置してあって、前記屈曲させた長尺カバー１１の開口端辺１３を所定幅の透光部１３ａを残して該ガイド溝２１にはめ込むことにより、前記長尺カバー１１は中空フレーム１４に結合されるようになっている。
また、前記長尺カバー１１においては、その開口端辺１３が前記回路基板１５の板面とほぼ一致する高さになるよう前記中空フレーム１４に取り付けられるようになっている。すなわち、前記ガイド溝２１の対応する高さの内側に回路基板１５の取付溝２２を形成することにより、前記長尺カバー１１の開口端辺１３と前記回路基板１５の板面とをほぼ一致する高さとすることができる。
【００２５】
前述のように構成したこの発明のＬＥＤ照明具１０においては、前記長尺カバー１１の開口端辺１３と前記回路基板１５の板面とをほぼ一致する高さとしたので照射角度が広くなって部屋全体を明るく照明することが可能となり、また利用者が直視した場合にも目にまぶしいという問題を解消することができる。
さらにＬＥＤ発光素子１６と長尺カバー１１部分との距離を話すことができて、回路基板１５を搭載する中空フレーム１４の放熱対策にも有効で、剛性や強度を保つ面でも効果的なＬＥＤ照明具１０を提供することが可能である。
しかも、前記屈曲させた長尺カバー１１の開口端辺１３を所定幅の透光部１３ａを残して該ガイド溝２１にはめ込んであるので、該透光部１３ａからＬＥＤ照明具１０の後方にも光源からの光が放射され、より均一で目にもまぶしくない照明とすることができるようになる。
【００２６】
図３および図４は、前記長尺カバー１１の両端に装着される端部パーツの例を示すものであり、それぞれ端部パーツは端子付き口金１２，１２’からなるものである。
図３（ａ）〜（ｃ）に示す端子付き口金１２は、その外端面から、それぞれ既存の蛍光灯器具本体に嵌め込まれる２本のＬ形端子２３が突出させてある。もちろんこの端子２３の他方の端部は、前記回路基板１５との電気的な接続が図られている。
前記端子付き口金１２の構造は、外側に配置された板状の外枠部分１２−１と内側に配置された楕円形の内枠部分１２−２とを備え、また外枠部分１２−１は前記長尺カバー１１を装着する逆Ｕ字状断面のアーチ状部分１２−１ａと中空フレーム１４の外側輪郭部分を装着する皿状部分１２−１ｂとで構成されている。１２−１ｃは前記中空フレーム１４との結合のためのネジ孔で、このネジ孔１２−１ｃに対応して内枠部分１２−２には切欠き部１２−２ａが形成されている。
【００２７】
図４（ａ）〜（ｃ）に示す端子付き口金１２’は、その外端面から、それぞれ既存の蛍光灯器具本体に嵌め込まれる２本のピン形端子２３’が突出させてある。もちろんこの端子２３’の他方の端部は、前記回路基板１５との電気的な接続が図られている。
前記端子付き口金１２の’構造は、図3の例と同様に、外側に配置された板状の外枠部分１２−１と内側に配置された楕円形の内枠部分１２−２とを備え、また外枠部分１２−１は前記長尺カバー１１を装着する逆Ｕ字状断面のアーチ状部分１２−１ａと中空フレーム１４の外側輪郭部分を装着する皿状部分１２−１ｂとで構成されている。１２−１ｃは前記中空フレーム１４との結合のためのネジ孔で、このネジ孔１２−１ｃに対応して内枠部分１２−２には切欠き部１２−２ａが形成されている。
【００２８】
前述のように、前記ＬＥＤ照明具１０においては、前記長尺カバー１１の両端に装着した端部パーツ１２を、その外端面からそれぞれ既存の蛍光灯器具本体に嵌め込まれる２本の端子２３が突出しているよう構成したので、既存の蛍光灯器具とほぼ同様の構造となり、極めて簡単に既存の蛍光灯器具本体に取り付けることができるようになった。
また、前記端部パーツ１２の外形からもわかるように、この発明のＬＥＤ照明具１０の全体的な外観も従来例と比べて非常に斬新なデザインとなり、しかも強度的にも従来の製品に比して大幅に向上した。
【００２９】
図５はこの発明のＬＥＤ照明具の回路図を示すものであり、（ａ）は１ブロック直列回路（直流無極性）を、また（ｂ）は直流無極性回路の実装図をそれぞれ示すものである。
図５（ａ）においては、各ＬＥＤ発光素子１６を直列に接続した直列回路３１にダイオードブリッジ３２ａ（４本のダイオードをブリッジ状に連結したものであり、交流のマイナス部分をプラスへ移動させ、その波形を電解コンデンサを用いて直流に近い波形とすることができる）からなる整流回路３２を組み込んで構成されており、既存の蛍光灯器具本体にどの向きからでも装着できるようにしたものである。抗することによって、配線聞違い等の事故を防止することができる。
【００３０】
また、図５（ｂ）においては、各ＬＥＤ発光素子１６を直列に接続した直列回路３１にダイオードブリッジ等からなる整流回路３２を接続し、さらにリセッタブルヒューズ３３を接続することにより、過電流や加熱により熱せられるＬＥＤ発光素子等の電子部品の破壊をふせぎ、速やかに電流を遮断して発熱に起因する燃焼などを防ぐことができる。
なお、電力が遮断されたあとはリセッタブルヒューズ３３によって自動的にリッセットされ、故障がなくなると電力は回路に再供給され、ヒューズを取り替える事態もなく継続的に使用することができる。
【産業上の利用可能性】
【００３１】
この発明は以上のように構成されているので、照射角度が広くなって部屋全体を明るく照明することが可能となり、また利用者が直視した場合にも目にまぶしいという問題のないＬＥＤ照明具を提供することができ、さらにＬＥＤ発光素子と透光カバー部分との距離を話すことができて、基板を搭載するフレームの放熱対策にも有効で、剛性や強度を保つ面でも効果的なＬＥＤ照明具を提供することが可能となった。
【００３２】
そして、直管式蛍光灯代替方式の照明具として既存の蛍光灯器具本体に装着することが可能であり、サイズの大小にかかわらず、また向きの如何にかかわらず既存の蛍光灯器具本体に装着することが可能である。
【符号の説明】
【００３３】
１０  ＬＥＤ照明具
１１  長尺カバー
１２  端子付き口金
１２’ 端子付き口金
１２−１  外枠部分
１２−２  内枠部分
１２−１ａ  アーチ状部分
１２−１ｂ  皿状部分
１２−１ｃ  小孔
１２−２ａ  切欠き部
１３  開口端辺
１３ａ  透光部
１４  中空フレーム
１５  回路基板
１５ａ  光源配置面
１５ｂ  裏面
１６  ＬＥＤ発光素子
２１  ガイド溝
２２  取付溝
２３  Ｌ形端子
２３’  ピン形端子
３１  直列回路
３２  整流回路
３２ａ  ダイオードブリッジ
３３  リセッタブルヒューズ
【図１】
2013191470.tif 000003
【図２】
2013191470.tif 000004
【図３】
2013191470.tif 000005
【図４】
2013191470.tif 000006
【図５】
2013191470.tif 000007
【手続補正書】
【提出日】平成24年6月25日(2012.6.25)
【手続補正１】
【補正対象書類名】特許請求の範囲
【補正対象項目名】全文
【補正方法】変更
【補正の内容】
【特許請求の範囲】
【請求項１】
透光性素材から成る両端が開口した逆Ｕ字状断面の長尺カバーと、前記長尺カバーの両端に装着した端部パーツと、前記長尺カバーの開口端辺に長手方向に沿って取り付けられ、長尺カバーの開口端辺から外側に突き出るように配設された放熱用金属からなる中空フレームと、該中空フレームに搭載して前記長尺カバーの内部に配置した細長い回路基板とを備えており、前記基板の片面を光源配置面としてこれにＬＥＤ発光素子からなる光源が搭載されている、既存の蛍光灯器具本体に装着できるＬＥＤ照明具であって、
前記長尺カバーは、前記開口端辺が所定の幅で内向きに屈曲させてあり、前記中空フレームの長手方向に沿って長く延びるように配置したガイド溝に前記屈曲させた長尺カバーの開口端辺を所定幅の透光部を残してはめ込むことにより、前記長尺カバーを中空フレームに結合するようにしたことを特徴とするＬＥＤ照明具。
【請求項２】
前記長尺カバーは、その開口端辺が前記回路基板の板面とほぼ一致する高さになるよう前記中空フレームに取り付けられるようにしたことを特徴とする請求項１記載のＬＥＤ照明具。
【請求項３】
前記長尺カバーの両端に装着した端部パーツは、その外端面からそれぞれ既存の蛍光灯器具本体に嵌め込まれる端子付き口金からなることを特徴とする請求項１または２記載のＬＥＤ照明具。
【請求項４】
前記回路基板は、各ＬＥＤ発光素子を直列に接続した直列回路に整流回路を組み込み、さらに前記整流回路にリセッタブルヒューズを接続することにより、既存の蛍光灯器具本体にどの向きからでも装着できるようにしたことを特徴とする請求項１ないし３のいずれかに記載のＬＥＤ照明具。
【手続補正２】
【補正対象書類名】明細書
【補正対象項目名】全文
【補正方法】変更
【補正の内容】
【発明の詳細な説明】
【技術分野】
【０００１】
この発明は、ＬＥＤ（発光ダイオード）のように発光素子を光源に使用した灯具のうち、従来の直管式蛍光灯の代替品として好適な、直管タイプのＬＥＤ照明具に関するものである。
【背景技術】
【０００２】
ＬＥＤ発光素子は省電力・高輝度・長寿命といった特色を持っており、そこで次世代照明装置と目されている。このＬＥＤ方式の照明具は既に商品化もなされているが、商品化をより強く推進するための一つの方策として、既存の蛍光灯にそのまま置き換えて使用できるようにすることが考えられている。
【０００３】
前記ＬＥＤ照明具は、通電により発光する発光素子（チップ）をガラスや樹脂等の透光材で封止することでランプ化しており、直管式蛍光灯代替方式の照明具に適用する場合は、細長い基板（回路基板）にＬＥＤ発光素子を多数搭載して、基板を筒体の内部に配置せねばならず、また、筒体の左右両端には、２本ずつのピンが突出した端部材を取り付ける必要がある。そして、基板は細長いので安定良く保持する必要があり、また、ピンを蛍光灯器具本体に挿入した状態で光が一定の方向に照射されるように基板とピンとの関係を保持する必要がある。
【０００４】
そのような例として、例えば特開２０１０−１２９３８２号公報（特許文献１参照）には、透光性素材から成る両端開口の細長い筒体と、前記筒体の両端に装着した端部材と、前記筒体の内部に配置した細長い基板とを備えており、前記基板の片面を光源配置面としてこれに発光素子方式光源が搭載されている、という灯具であって、
前記筒体の内部には、前記基板を保持するホルダー部材が筒体の長手方向に沿って長く延びるように配置されており、前記ホルダー部材と左右端材とを筒体の軸心回りに相対回転しないように嵌め合わせることにより、前記端部材と基板との相対姿勢を一定に保持している灯具が提案されている。
【０００５】
また特開２０１０−３６８３号公報（特許文献２参照）には、一体で長く延びるか又は断続して長く延びる基板と、基板の片面又は両面に飛び飛びで配置した多数個のＬＥＤと、基板を少なくともＬＥＤの側から覆う筒形又は溝形の細長い合成樹脂製のカバー部材とを備えている。カバー部材は透光性を有しており、且つ、カバー部材の内面には嵌合溝が全長にわたって形成されている。回路基板は、反射板２６と補助カバー体とを介して嵌合溝で撓み変形不能に保持されている発光素子方式照明灯が提案されている。
【０００６】
特開２００８−２８７９９４号公報（特許文献３参照）には、複数のＬＥＤを備えてなる照明装置において、複数のＬＥＤを装着して支持すると共に、複数のＬＥＤを点灯する電源回路を装着して支持する支持体を備え、複数のＬＥＤ及び／又は電源回路を支持体に収容してなることを特徴とする照明装置が提案されている。
【０００７】
特開２００６−１０００３６号公報（特許文献４参照）には、棒状本体の両端部に端子対Ａおよび端子対Ｂを設け、前記端子対ＡにダイオードＯＲ回路を介してＬＥＤアレイの一方端を接続し、端子対ＢにＬＥＤアレイの他方端を接続し、そしてこのダイオードＯＲ回路は、端子Ａ１〜Ａ２間の逆流防止機能と、端子対Ａからの交流入力を整流する機能と、ＬＥＤアレイに逆電圧が印加されることを防止する機能を持ち、端子対Ａおよび端子対Ｂは、既存の蛍光灯器具のソケットに対して、左右両端部のいずれの方向から装着しても嵌合することができるＬＥＤ照光装置が提案されている。
【先行技術文献】
【特許文献】
【０００８】
【特許文献１】特開２０１０−１２９３８２号公報
【特許文献２】特開２０１０−３６８３号公報
【特許文献３】特開２００８−２８７９９４号公報
【特許文献４】特開２００６−１０００３６号公報
【発明の開示】
【発明が解決しようとする課題】
【０００９】
前記従来の直管式の蛍光灯代替方式のＬＥＤ照明具においては、円筒状の透光カバーを備えた特許文献１においても、また基板の設置部分が平坦で透光カバー部分が円弧状等に形成された特許文献２，３においても、基本的にはＬＥＤ発光素子から出る照射光を基板面からせいぜい１８０°の角度範囲で照射するものであり、照射角度が狭いために部屋全体を明るく照明することが難しく、また利用者が直視した場合に目にまぶしいという問題があった。
【００１０】
さらに、ＬＥＤ発光素子が発生する熱による影響という面でも、ＬＥＤ発光素子と透光カバー部分との距離が近いために基板を搭載するフレームの放熱対策を確実に行う必要があり、剛性や強度を保つ意味からも、補強構造を採用するためにコスト等を押し上げるという問題があった。
【００１１】
この発明は、このような課題を解消するためのものであり、照射角度が広くなって部屋全体を明るく照明することが可能となり、また利用者が直視した場合にも目にまぶしいという問題のないＬＥＤ照明具を提供することができ、さらにＬＥＤ発光素子と透光カバー部分との距離を話すことができて、基板を搭載するフレームの放熱対策にも有効で、剛性や強度を保つ面でも効果的なＬＥＤ照明具を提供することを目的とする。
【課題を解決するための手段】
【００１２】
この発明は、透光性素材から成る両端が開口した逆Ｕ字状断面の長尺カバーと、前記長尺カバーの両端に装着した端部パーツと、前記長尺カバーの開口端辺に長手方向に沿って取り付けられ、長尺カバーの開口端辺から外側に突き出るように配設された放熱用金属からなる中空フレームと、該中空フレームに搭載して前記長尺カバーの内部に配置した細長い回路基板とを備えており、前記基板の片面を光源配置面としてこれにＬＥＤ発光素子からなる光源が搭載されている、既存の蛍光灯器具本体に装着できるＬＥＤ照明具を対象にしている。
【００１３】
そして請求項１のＬＥＤ照明具では、前記長尺カバーにおいて、前記開口端辺が所定の幅で内向きに屈曲させてあり、前記中空フレームの長手方向に沿って長く延びるように配置したガイド溝に前記屈曲させた長尺カバーの開口端辺を所定幅の透光部を残してはめ込むことにより、前記長尺カバーを中空フレームに結合するようにしたことを特徴としている。
【００１４】
請求項２のＬＥＤ照明具では、前記長尺カバーにおいて、その開口端辺が前記回路基板の板面とほぼ一致する高さになるよう前記中空フレームに取り付けられるようにしたことを特徴としている。
【００１５】
請求項３のＬＥＤ照明具では、前記長尺カバーの両端に装着した端部パーツが、その外端面からそれぞれ既存の蛍光灯器具本体に嵌め込まれる端子付き口金からなることを特徴としている。
【００１６】
請求項４のＬＥＤ照明具では、前記回路基板において、各ＬＥＤ発光素子を直列に接続した直列回路に整流回路を組み込み、さらに前記整流回路にリセッタブルヒューズを接続することにより、既存の蛍光灯器具本体にどの向きからでも装着できるようにしたことを特徴としている。
【発明の効果】
【００１７】
この発明の請求項１のＬＥＤ照明具では、照射角度が広くなって部屋全体を明るく照明することが可能となり、また利用者が直視した場合にも目にまぶしいという問題のないＬＥＤ照明具を提供することができ、さらにＬＥＤ発光素子と透光カバー部分との距離を離すことができて、基板を搭載するフレームの放熱対策にも有効で、剛性や強度を保つ面でも効果的なＬＥＤ照明具を提供することが可能となった。
また、前記屈曲させた長尺カバーの開口端辺を所定幅の透光部を残して該ガイド溝にはめ込んであるので、該透光部からＬＥＤ照明具の後方にも光源からの光が放射され、より均一に部屋全体を照らすことができるので、目にもまぶしくない照明とすることができるようになった。
【００１８】
請求項２のＬＥＤ照明具では、既存の製品に比して照射角度を飛躍的に大きい角度とすることができ、しかも透光性素材からなる長尺カバーとの間隔を広くとることができるようになるので、使用者が直視してもほとんどまぶしさを感じないＬＥＤ照明具とすることができるようになった。
【００１９】
請求項３のＬＥＤ照明具では、前記長尺カバーの両端に装着した端部パーツを、その外端面からそれぞれ既存の蛍光灯器具本体に嵌め込まれる端子付き口金からなるよう構成したので、既存の蛍光灯器具とほぼ同様の構造となり、極めて簡単に既存の蛍光灯器具本体に取り付けることができるようになった。
【００２０】
請求項４のＬＥＤ照明具では、前記回路基板において、各ＬＥＤ発光素子を直列に接続した直列回路に整流回路を組み込み、さらに前記整流回路にリセッタブルヒューズを接続することにより、既存の蛍光灯器具本体にどの向きからでも装着できるようになり、非常に故障の少ないＬＥＤ照明具を提供することができるようになった。
【図面の簡単な説明】
【００２１】
【図１】この発明のＬＥＤ照明具の実施の形態を説明する長尺カバーと中空フレームとの結合の状態を示す概略斜視図である。
【図２】その概略断面図である。
【図３】端部パーツを構成する端子付き口金の１例を示し、（ａ）はその正面図、（ｂ）はその側面図、（ｃ）はその斜視図である。
【図４】端部パーツを構成する端子付き口金の他の例を示し、（ａ）はその正面図、（ｂ）はその側面図、（ｃ）はその斜視図である。
【図５】この発明のＬＥＤ照明具の回路図を示すものであり、（ａ）は１ブロック直列回路（直流無極性）を、また（ｂ）は直流無極性回路の実装図をそれぞれ示すものである。
【発明を実施するための形態】
【００２２】
次に、この発明のＬＥＤ照明具の実施の形態を図面に基いて詳細に説明する。
図１および図２において、ＬＥＤ照明具１０は、透光性素材から成る両端が開口した逆Ｕ字状断面の長尺カバー１１と、前記長尺カバー１１の両端に装着した端部パーツ１２（図３および図４参照）と、前記長尺カバー１１の開口端辺１３に長手方向に沿って取り付けられていて、前記長尺カバー１１の開口端辺１３から外側に突き出るように配設された放熱用金属からなる中空フレーム１４と、該中空フレーム１４に搭載して前記長尺カバー１１の内部に配置した細長い回路基板１５とを備えており、前記回路基板１５の片面を光源配置面としてこれにＬＥＤ発光素子１６からなる光源が搭載されている。
前記回路基板１５は、中空フレーム１４よりも小さい幅寸法であり、その片面は光源配置面１５ａになっており、この光源配置面１５ａに多数のＬＥＤ発光素子１６を一列に並べて多数装着している。図面では省略しているが、前記回路基板１５の光源配置面１５ａまたはこれと反対側の裏面１５ｂには回路がプリントされている。前記回路基板２の両端には後述する通り、外側に突出した端子２３を取り付けている。
【００２３】
前述のように、この発明のＬＥＤ照明具１０は直管式蛍光灯と似た外観を呈しており、全長は蛍光灯の規格に合わせている。そして前記長尺カバー１１は、透明または半透明（例えば乳白色）のポリカーボネート等の透光性樹脂素材とすることが望ましい。
【００２４】
そして前記長尺カバー１１において、前記開口端辺１３は所定の幅で内向きにほぼ直角に屈曲させてあり、他方、前記中空フレーム１４の両側端部にはガイド溝２１が配置してあって、前記屈曲させた長尺カバー１１の開口端辺１３を所定幅の透光部１３ａを残して該ガイド溝２１にはめ込むことにより、前記長尺カバー１１は中空フレーム１４に結合されるようになっている。
また、前記長尺カバー１１においては、その開口端辺１３が前記回路基板１５の板面とほぼ一致する高さになるよう前記中空フレーム１４に取り付けられるようになっている。すなわち、前記ガイド溝２１の対応する高さの内側に回路基板１５の取付溝２２を形成することにより、前記長尺カバー１１の開口端辺１３と前記回路基板１５の板面とをほぼ一致する高さとすることができる。
【００２５】
前述のように構成したこの発明のＬＥＤ照明具１０においては、前記長尺カバー１１の開口端辺１３と前記回路基板１５の板面とをほぼ一致する高さとしたので照射角度が広くなって部屋全体を明るく照明することが可能となり、また利用者が直視した場合にも目にまぶしいという問題を解消することができる。
さらにＬＥＤ発光素子１６と長尺カバー１１部分との距離を話すことができて、回路基板１５を搭載する中空フレーム１４の放熱対策にも有効で、剛性や強度を保つ面でも効果的なＬＥＤ照明具１０を提供することが可能である。
しかも、前記屈曲させた長尺カバー１１の開口端辺１３を所定幅の透光部１３ａを残して該ガイド溝２１にはめ込んであるので、該透光部１３ａからＬＥＤ照明具１０の後方にも光源からの光が放射され、より均一に部屋全体を照らすことができるので、目にもまぶしくない照明とすることができるようになる。
【００２６】
図３および図４は、前記長尺カバー１１の両端に装着される端部パーツの例を示すものであり、それぞれ端部パーツは端子付き口金１２，１２’からなるものである。
図３（ａ）〜（ｃ）に示す端子付き口金１２は、その外端面から、それぞれ既存の蛍光灯器具本体に嵌め込まれる２本のＬ形端子２３が突出させてある。もちろんこの端子２３の他方の端部は、前記回路基板１５との電気的な接続が図られている。
前記端子付き口金１２の構造は、外側に配置された板状の外枠部分１２−１と内側に配置された楕円形の内枠部分１２−２とを備え、また外枠部分１２−１は前記長尺カバー１１を装着する逆Ｕ字状断面のアーチ状部分１２−１ａと中空フレーム１４の外側輪郭部分を装着する皿状部分１２−１ｂとで構成されている。１２−１ｃは前記中空フレーム１４との結合のためのネジ孔で、このネジ孔１２−１ｃに対応して内枠部分１２−２には切欠き部１２−２ａが形成されている。
【００２７】
図４（ａ）〜（ｃ）に示す端子付き口金１２’は、その外端面から、それぞれ既存の蛍光灯器具本体に嵌め込まれる２本のピン形端子２３’が突出させてある。もちろんこの端子２３’の他方の端部は、前記回路基板１５との電気的な接続が図られている。
前記端子付き口金１２の’構造は、図3の例と同様に、外側に配置された板状の外枠部分１２−１と内側に配置された楕円形の内枠部分１２−２とを備え、また外枠部分１２−１は前記長尺カバー１１を装着する逆Ｕ字状断面のアーチ状部分１２−１ａと中空フレーム１４の外側輪郭部分を装着する皿状部分１２−１ｂとで構成されている。１２−１ｃは前記中空フレーム１４との結合のためのネジ孔で、このネジ孔１２−１ｃに対応して内枠部分１２−２には切欠き部１２−２ａが形成されている。
【００２８】
前述のように、前記ＬＥＤ照明具１０においては、前記長尺カバー１１の両端に装着した端部パーツ１２を、その外端面からそれぞれ既存の蛍光灯器具本体に嵌め込まれる２本の端子２３が突出しているよう構成したので、既存の蛍光灯器具とほぼ同様の構造となり、極めて簡単に既存の蛍光灯器具本体に取り付けることができるようになった。
また、前記端部パーツ１２の外形からもわかるように、この発明のＬＥＤ照明具１０の全体的な外観も従来例と比べて非常に斬新なデザインとなり、しかも強度的にも従来の製品に比して大幅に向上した。
【００２９】
図５はこの発明のＬＥＤ照明具の回路図を示すものであり、（ａ）は１ブロック直列回路（直流無極性）を、また（ｂ）は直流無極性回路の実装図をそれぞれ示すものである。
図５（ａ）においては、各ＬＥＤ発光素子１６を直列に接続した直列回路３１にダイオードブリッジ３２ａ（４本のダイオードをブリッジ状に連結したものであり、交流のマイナス部分をプラスへ移動させ、その波形を電解コンデンサを用いて直流に近い波形とすることができる）からなる整流回路３２を組み込んで構成されており、既存の蛍光灯器具本体にどの向きからでも装着できるようにしたものである。抗することによって、配線聞違い等の事故を防止することができる。
【００３０】
また、図５（ｂ）においては、各ＬＥＤ発光素子１６を直列に接続した直列回路３１にダイオードブリッジ等からなる整流回路３２を接続し、さらにリセッタブルヒューズ３３を接続することにより、過電流や加熱により熱せられるＬＥＤ発光素子等の電子部品の破壊をふせぎ、速やかに電流を遮断して発熱に起因する燃焼などを防ぐことができる。
なお、電力が遮断されたあとはリセッタブルヒューズ３３によって自動的にリッセットされ、故障がなくなると電力は回路に再供給され、ヒューズを取り替える事態もなく継続的に使用することができる。
【産業上の利用可能性】
【００３１】
この発明は以上のように構成されているので、照射角度が広くなって部屋全体を明るく照明することが可能となり、また利用者が直視した場合にも目にまぶしいという問題のないＬＥＤ照明具を提供することができ、さらにＬＥＤ発光素子と透光カバー部分との距離を話すことができて、基板を搭載するフレームの放熱対策にも有効で、剛性や強度を保つ面でも効果的なＬＥＤ照明具を提供することが可能となった。
【００３２】
そして、直管式蛍光灯代替方式の照明具として既存の蛍光灯器具本体に装着することが可能であり、サイズの大小にかかわらず、また向きの如何にかかわらず既存の蛍光灯器具本体に装着することが可能である。
【符号の説明】
【００３３】
１０  ＬＥＤ照明具
１１  長尺カバー
１２  端子付き口金
１２’ 端子付き口金
１２−１  外枠部分
１２−２  内枠部分
１２−１ａ  アーチ状部分
１２−１ｂ  皿状部分
１２−１ｃ  小孔
１２−２ａ  切欠き部
１３  開口端辺
１３ａ  透光部
１４  中空フレーム
１５  回路基板
１５ａ  光源配置面
１５ｂ  裏面
１６  ＬＥＤ発光素子
２１  ガイド溝
２２  取付溝
２３  Ｌ形端子
２３’  ピン形端子
３１  直列回路
３２  整流回路
３２ａ  ダイオードブリッジ
３３  リセッタブルヒューズ